(57)【特許請求の範囲】
【請求項１】
線状のエレメントと、該エレメントが嵌挿されている絶縁性のチューブとを少なくとも備える携帯機器用アンテナにおいて、
前記エレメントと、前記チューブとの間隙に柔軟な糸を介在させることにより、前記エレメントと前記チューブとを密着させるようにしたことを特徴とする携帯機器用アンテナ。
【発明の詳細な説明】
【０００１】
【発明の属する技術分野】
本発明は、携帯電話機や携帯無線器等に備えられる携帯機器用アンテナに関するものである。
【０００２】
【従来の技術】
この種の従来の携帯機器用アンテナにおいては、ホイップアンテナの先端部にアンテナトップが備えられており、ホイップアンテナが取り付け部に対して摺動自在とされている。
また、携帯電話機用アンテナとしては、先端部にヘリカルアンテナが備えられ、このヘリカルアンテナと絶縁されてホイップアンテナがヘリカルアンテナと固着されている。そして、ホイップアンテナを収納した時はヘリカルアンテナのみが送受信回路に接続され、ホイップアンテナを伸張した時はホイップアンテナのみが送受信回路に接続されている。
【０００３】
このような携帯機器用アンテナの構成の一例を図５に示す。
図５は断面図を示しており、ホイップアンテナ１は、大きく分けてエレメント６と、エレメント６の上端に固着されているヘリカルアンテナ８とから構成されている。ヘリカルアンテナ８はコイルボビン３に巻回されることによりヘリカルエレメントが構成され、このコイルボビン３を合成樹脂によりモールドすることにより構成されている。
【０００４】
このヘリカルアンテナ８はアンテナトップ２を構成しており、コイルボビン３の下端は金属製のトッププラグ４の上端部に嵌入されている。これにより、ヘリカルエレメントとトッププラグ４とが電気的に接続される。また、トッププラグ４は絶縁性のジョイント５に嵌着するよう一体成型されており、細長い合成樹脂製のジョイント５の約半分までがトッププラグ４により覆われている。
そして、ジョイント５の下半分の内部には、金属製のエレメント６の先端部が一体に成型されることにより、ジョイント５とエレメントとが固着されている。これにより、ヘリカルアンテナ８と電気的に接続されているトッププラグ４と、エレメント６とはジョイント５により絶縁されて固着されるようになる。
【０００５】
また、エレメント６は合成樹脂製のチューブ７に嵌挿されており、エレメント６の下端には金属製のストッパー１２が固着されている。エレメント６の外周にはリング１３が嵌挿され、エレメント６がストッパー１２に圧入されることにより、エレメント６に強固に固着されると共に、エレメント６とストッパー１２とが電気的に接続されるようになる。
さらに、エレメント６は金属製のホルダー１０に摺動自在に嵌入されており、ホルダー１０の挿通孔内にはエレメント６を弾性的に保持するコレットスプリング１１が設けられている。
【０００６】
このように構成されたアンテナにおいて、ホイップアンテナ１を収納すると、ホルダー１０の挿通孔内にはトッププラグ４が挿入されるようになり、ホルダー１０とヘリカルアンテナ８とが電気的に接続されるようになる。
また、ホイップアンテナ１を伸張すると、ホルダー１０の挿通孔内にはストッパー１２が下から挿入されるようになり、ホルダー１０とエレメント６とが電気的に接続されるようになる。
したがって、ホイップアンテナ１の収納時にはヘリカルアンテナ８のみを動作状態とすることができ、伸張時にはエレメント６のみを動作状態とすることができる。
【０００７】
また、エレメント６の先端部には平打加工部２２が形成されており、この平打加工部２２がジョイント５に一体に成型されることにより、ジョイント５からエレメント６が抜け出ることを防止している。
図６（ａ）はジョイント５と、一体に成型されている絶縁性のチューブ７に嵌挿されたエレメント６の構成を半断面図により示している。そして、一体成型部Ａの拡大図を同図（ｂ）に示している。
さらに、図７はエレメント６の詳細を示しており、約０．８ｍｍの外径を有するエレメント６の先端に平打加工が施されて、平打加工部２２が形成されている。このエレメント６が嵌挿されるチューブ７の外径は、約１．６ｍｍとされ、その内径は約０．８４ｍｍとされている。
【０００８】
【発明が解決しようとする課題】
ところで、エレメント６がチューブ７に嵌挿されることから、チューブ７の内径はエレメント６の加工寸法の許容値を考慮して決定する必要がある。このため、エレメント６をチューブ７に嵌挿した時に、エレメント６とチューブ７との間には、約０．０１ｍｍないし０．１ｍｍの間隙が生じるようになる。
すると、携帯機器用アンテナが、歩行中や、車あるいは電車の中、あるいは、風の強い場所等の携帯機器アンテナが振動される環境で使用されたときに、エレメント６とチューブ７とが衝突するようになる。この衝突により発生した振動音により、通話の相手側に雑音が入るようになり、通話が聞き取りづらくなるという問題点が生じていた。
【０００９】
これを解決するために、従来は、エレメント６とチューブ７とを接着するようにしていた。
図８に、エレメント６とチューブ７とを接着する携帯機器用アンテナの組立方法の概要を示すが、まず、図８（ａ）に示すようにジョイント５と一体成形されたエレメント６に接着剤を塗布する。次いで、同図（ｂ）に示すように接着剤が塗布されたエレメント６にチューブ７を嵌挿する。そして、チューブ７を嵌挿したエレメント６にホルダー１０を嵌入させ、エレメント６の下端にストッパー１２を固着する。これにより、図８（ｃ）に示すような携帯機器用アンテナが製作される。
【００１０】
しかしながら、前記図８に示す携帯機器用アンテナにおいては、エレメント６に接着剤を塗布するときに、作業者により塗布量のばらつきが生じ品質が安定しないという問題点がある。
この場合、チューブ７内に接着剤を予め入れておいて、エレメント６を嵌挿することが考えられるが、細い内径のチューブ７に接着剤を入れることは困難である。
また、エレメント６とチューブ７間に間隙量のばらつきが生じると、接着剤の固定強度が変動する問題がある。さらに、この方法では接着剤のチューブ７表面へのはみ出しが生じやすく、外観上の問題が発生する。
【００１１】
このため、エレメント６とチューブ７とを接着する方法で製作した携帯機器用アンテナでは、その外観検査および振動音検査等の全量検査が必要となり、製作に時間がかかると共に、その作業が繁雑になってしまうことになる。
このような問題点から、チューブ７を熱収縮チューブとすることが提案されている。この方法では、エレメント６にチューブ７を嵌挿した後にチューブ７を加熱して収縮するようにする。
この方法によれば、エレメント６とチューブ７との間隙のばらつきがなくなるものの、熱収縮されたチューブ７の外観は見栄えがよくないことから、外観上の問題が生じることになる。
さらに、チューブ７のみを加熱することができず、エレメント６が一体成形されている合成樹脂製のジョイント５も加熱され、このため、ジョイント５が変質するおそれが生じるという問題点があった。
さらにまた、チューブ７を加熱し収縮するための温度管理が必要となり、作業工程数が増えるという問題点もある。
【００１２】
そこで、本発明はエレメントとチューブとを密着させて、その衝突を確実に防止することのできる外観上問題のない携帯機器用アンテナを提供することを目的としている。
この場合、衝突防止方法は、エレメントを繰り返し屈曲しても、エレメントとチューブ間に間隙が発生しないと共に、作業方法および作業者によりばらつきが発生しない量産性に優れた方法とすることを目的としている。
【００１３】
【課題を解決するための手段】
上記目的を達成するために、本発明の携帯機器用アンテナは、線状のエレメントと、該エレメントが嵌挿されている絶縁性のチューブとを少なくとも備える携帯機器用アンテナにおいて、前記エレメントと、前記チューブとの間隙に柔軟な糸を介在させることにより、前記エレメントと前記チューブとを密着させるようにしたようにしたものである。
【００１４】
このような本発明によれば、エレメントとチューブとの間に柔軟な糸が介在するようになるため、エレメントとチューブとが密着するようになる。このため、エレメントとチューブとが衝突しようとしたときに、その間に介在された糸により、衝突が和らげられその振動音の発生を防止することができる。
これにより、通話時に携帯機器アンテナが振動する環境におかれても、雑音の発生を防止することができ、快適な通話を行うことができる。
【００１５】
【発明の実施の形態】
本発明の携帯機器用アンテナが備えられた携帯電話機の外観を図１に示す。
この図において、１はホイップアンテナであり、その先端にはアンテナトップ２が設けられている。ホイップアンテナ１は金属製のホルダー１０に摺動自在に保持されており、ホイップアンテナ１を携帯電話機２０内に収納すると、アンテナトップ２に内蔵されたヘリカルアンテナのみが動作して携帯電話機２０に内蔵されている回路基板に接続されるようになる。
また、ホイップアンテナ１を携帯電話機２０から伸長すると、ホイップアンテナ１のみが動作して、携帯電話機２０に内蔵されている回路基板に接続されるようになる。
【００１６】
このホイップアンテナ１は、本発明の携帯機器用アンテナの実施の形態を示すものであり、その構成は前記した図５に示すようになる。ただし、本発明の携帯機器用アンテナにおいては、線状のエレメント６と絶縁性のチューブ７との間に柔軟な糸が介在されている。
そこで、エレメント６とチューブ７との間に糸を介在させて本発明の実施の形態の携帯機器用アンテナを組み立てる概要を図２を参照して説明する。
図２（ａ）において、ジョイント５の一端と線状のエレメントの先端を一体成形することによりジョイント５とエレメント６とが固着されている状態とする。この場合、ジョイント５の約半分は金属製のトッププラグ４により覆われており、このトッププラグ４の先端部にはヘリカルアンテナを内蔵するアンテナトップ２が設けられている。
【００１７】
そして、このようなエレメント６に糸３０が挿通されたチューブ７を嵌挿した状態が図２（ａ）に示す状態である。ついで、同図（ｂ）に示すようにチューブ７からはみ出しているアンテナトップ２側の糸３０のはみ出し量が約２ｍｍ以下となるように切断する。
この状態とした後、さらにチューブ７を矢印で示すようにアンテナトップ側へ押し込んで、チューブ７の先端をジョイント５の嵌合部に嵌合させる。
続いて、図２（ｃ）に示すようにチューブ７の下端からはみ出している糸３０のはみ出し量が２ｍｍ以下となるように切断する。その後、図示しないが金属製のホルダー１０をチューブ７の上から嵌挿し、エレメント６の下端に金属製のストッパー１２を固着することにより、携帯機器用アンテナを製作する。
【００１８】
なお、図２（ｄ）にエレメント６とチューブ７との間に糸３０が介在するよう組み立てられた状態を断面図として示している。この図に示すように、チューブ７の先端はジョイント５の嵌合部に嵌合されてチューブ７とジョイント５とが一体化されている。このようにエレメント６とチューブ７との間に糸３０が介在しているので、エレメント６がチューブ７に密着するようになると共に、エレメント６やチューブ７が振動して互いに衝突しようとしても、柔軟な糸３０により振動が吸収されて衝突が阻止されるようになる。
従って、衝突による振動音が発生せず通話に支障を与えることを防止することができる。
【００１９】
ところで、エレメントの外径は、約０．８ｍｍとされており、このエレメント６が嵌挿されるチューブ７の外径は、約１．６ｍｍとされ、その内径は約０．８４ｍｍとされている。このため、エレメント６をチューブ７に嵌挿した時に、エレメント６とチューブ７との間には、約０．０１ｍｍないし０．１ｍｍの間隙が生じるようになるので、糸３０の太さは約０．１ｍｍないし０．３ｍｍとしている。また、糸３０の素材としては綿等の柔らかい素材とされている。
なお、糸３０は柔軟性を有しているのでチューブ７内においてつぶれるように変形して、エレメント６とチューブ７とを密着させている。なお、チューブ７が軟質とされている場合には、チューブ７も若干拡径されるようになる。
このように、糸３０が柔軟性を有しているので、エレメント６を繰り返し屈曲させてもエレメント６とチューブ７との間に隙間が生じることはなく、安定してエレメント６とチューブ７との衝突により生じる振動音の発生を防止することができる。
【００２０】
次に、チューブ７に糸３０を通す方法を図３および図４に示す。
図３に示す糸３０のチューブ７への挿通方法は、同図（ａ）に示すように、長い縫い針状の約φ０．５〜０．７ｍｍの通し棒３２の先端の固定部３３に、約φ０．２ｍｍの細い銅線を接着あるいは半田付け等により固定する。これにより環状の銅線部３１を形成し、この環状の銅線部３１に糸３０を縛ることにより糸３０を固定する。
ついで、同図（ｂ）に示すように、この状態とした通し棒３２をチューブ７に挿通し、チューブ７の反対側から引き出すと、チューブ７内に糸３０が挿通された状態とすることができる。そして、糸３０を所定長となるよう切断することにより、チューブ７に糸３０を挿通した状態となる。
【００２１】
また、図３（ｃ）に示すように、複数本のチューブ７に連続して通し棒３２を挿通させ、同図（ｄ）に示すようにチューブ７間で糸３０をそれぞれ切断するようにすれば、同時に複数本のチューブ７に糸３０を挿通させることができる。この同時に挿通できる本数は約１００本とすることができる。
【００２２】
次に、第２のチューブ７に糸３０を通す方法を図４を参照して説明する。
この方法は、図４（ａ）に示すように約φ０．４ｍｍの通し棒３２の先端の接着部３４に糸３０を接着剤により接着する。次いで、この状態で同図（ｂ）に示すように通し棒３２をチューブ７に挿通させ、同図（ｃ）に示すようにチューブ７の反対側から引き出す。
この後、糸３０を所定長で切断することにより、チューブ７に糸３０を挿通した状態となる。
【００２３】
また、この挿通方法も複数本のチューブ７に同時に糸３０を挿通させることができる。この場合、同時に挿通できる本数は約１００本とすることができる。
このようにして糸３０をチューブ７に挿通させているため、作業者の違いや作業方法により携帯機器用アンテナの組立後の作業結果がばらつくことはない。
なお、通し棒３２の線材としては、銅線、鉄線、ステンレス線等を使用することができる。
以上の説明では、本発明の携帯機器用アンテナの構成は前記図５に示すような構成として説明したが、本発明はこれに限らず、チューブが嵌挿された線状のアンテナを備えるアンテナであれば、どのような構成のアンテナであってもよい。
【００２４】
【発明の効果】
本発明は以上のように、エレメントとチューブとの間に柔軟な糸が介在するようになるため、エレメントとチューブとが密着するようになる。従って、エレメントとチューブとが衝突しようとしたときに、その間に介在された糸により、衝突が和らげられその振動音の発生を防止することができる。
これにより、通話時に携帯機器アンテナが振動する環境におかれても、雑音の発生を防止することができ、快適な通話を行うことができる。
また、糸は柔軟性を有しているため、エレメントが繰り返し屈曲されてもエレメントとチューブとの間に隙間が生じることはない。
【図面の簡単な説明】
【図１】本発明の携帯機器用アンテナを備える携帯電話機の外観を示す図である。
【図２】本発明の実施の携帯の携帯機器用アンテナを組み立てる概要を示す図である。
【図３】本発明の携帯機器用アンテナにおけるチューブに糸を挿通する方法を示す図である。
【図４】本発明の携帯機器用アンテナにおけるチューブに糸を挿通する他の方法を示す図である。
【図５】携帯機器用アンテナの詳細な構成を示す図である。
【図６】図５に示すホイップアンテナにおけるジョイントとエレメントとの固着構造を示す図である。
【図７】図６に示すエレメントの詳細を示す図である。
【図８】エレメントとチューブとにより発生される振動音を防止する方法を説明するための図である。
【符号の説明】
１    ホイップアンテナ
２    アンテナトップ
３    コイルボビン
４    トッププラグ
５    ジョイント
６    エレメント
７    チューブ
８    ヘリカルアンテナ
１０    ホルダー
１１    コレットスプリング
１２    ストッパー
１３    リング
２０    携帯電話機
２１    加工部
２２    平打加工部
３０    糸
３１    銅線部
３２    通し棒
３３    固定部
３４    接着部
【図１】
0003586043.tif 000002
【図２】
0003586043.tif 000003
【図３】
0003586043.tif 000004
【図４】
0003586043.tif 000005
【図５】
0003586043.tif 000006
【図６】
0003586043.tif 000007
【図７】
0003586043.tif 000008
【図８】
0003586043.tif 000009